(57)【要約】【課題】春の後半から初秋、とくに夏季の暑さに対しても栽培用の植木鉢内の鉢内温度を低温に維持でき、高山植物等の温暖な低地での栽培を可能とする植木鉢を提供すること。【解決手段】植木鉢１は、円筒状の内層４と、内層４の円筒状の外周面５に一体的に接合されている外層８と、内層４の円筒状の外周面５と外層８の円筒状の内周面６との間に配されて内層４及び外層８の円環状の上面１２及び１３でそれぞれ開口する多数の通気路１４と、内層４の円筒状の内周面３の下方に設けられている環状底部１７と、環状底部１７と内層４及び外層８の円環状の下面１０及び１１との間の円筒面１８からなる高台１９に設けられている通風口２０とを備えている。【選択図】図１
2015130822.tif 000002
【特許請求の範囲】
【請求項１】
円状の開口部を有する内層と外層との少なくとも二層構造からなる素焼きの植木鉢であって、内層の外周面と外層の内周面との間に、該内層と外層との円環状の下面から上面に通じて当該円環状の下面及び上面で開口する複数個の通気路を、内層の内周面の下方に、中央部に円環状の孔を規定する径方向内方に突出した環状底部を、該環状底部と内層及び外層の円環状の下面との間の高台に、外層の外周面側から内層の円環状の孔に連通する複数個の通風口を夫々備えていることを特徴とする植木鉢。
【請求項２】
円状の開口部を有する内層と外層との二層構造からなる請求項１に記載の植木鉢。
【請求項３】
内層の内周面及び外周面ならびに外層の内周面及び外周面は、それぞれ円筒面からなる請求項１又は２に記載の植木鉢。
【請求項４】
内層の内周面及び外周面ならびに外層の内周面及び外周面は、それぞれ截頭円錐面からなる請求項１又は２に記載の植木鉢。
【請求項５】
通気路は、内層と外層との円環状の下面から上面に直線状に通じて当該円環状の下面及び上面で開口すると共に円周方向に沿って規則正しく配列された多数の通路からなる請求項１から４のいずれか一項に記載の植木鉢。
【請求項６】
通気路は、内層の外周面と外層の内周面との間の全面において、内層と外層との円環状の下面から上面に直線状に通じて当該円環状の下面及び上面で開口すると共に円周方向に沿って規則正しく配列された多数の通路と、内層の外周面と外層の内周面との間の全面において、該通路に連通して円周方向に環状に伸びていると共に円周方向に対して交差する長手方向に沿って規則正しく配列された多数の環状の通路からなる請求項１から４のいずれか一項に記載の植木鉢。
【請求項７】
通気路は、内層の外周面と外層の内周面との間の全面にわたって内層と外層との円環状の下面から円環状の上面に通じて当該内層と外層との円環状の下面及び円環状の上面で開口する多数の不規則な通路からなる請求項１から４のいずれか一項に記載の植木鉢。
【請求項８】
内層と外層との間に配された中間層を更に有する三層構造からなる請求項１に記載の植木鉢。
【請求項９】
内層の内周面及び外周面、中間層の内周面及び外周面ならびに外層の内周面及び外周面は、それぞれ円筒面からなる請求項８に記載の植木鉢。
【請求項１０】
内層の内周面及び外周面、中間層の内周面及び外周面ならびに外層の内周面及び外周面は、それぞれ截頭円錐面からなる請求項８に記載の植木鉢。
【請求項１１】
通気路は、内層の外周面と中間層の内周面との間及び中間層の外周面と外層の内周面との間の全面において、内層と中間層と外層との円環状の下面から上面に直線状に通じて当該円環状の下面及び上面で開口すると共に円周方向に沿って規則正しく配列された多数の通路からなる請求項８又は９のいずれか一項に記載の植木鉢。
【請求項１２】
通気路は、内層の外周面と中間層の内周面との間及び中間層の外周面と外層の内周面との間の全面において、内層と中間層と外層との円環状の下面から上面に直線状に通じて当該円環状の下面及び上面で開口する円周方向に沿って規則正しく配列された多数の通路と、内層の外周面と中間層の内周面との間及び中間層の外周面と外層の内周面との間の全面において、該通路に連通して円周方向に環状に伸びていると共に円周方向に対して交差する長手方向に沿って規則正しく配列された多数の通路からなる請求項８又は９のいずれか一項に記載の植木鉢。
【請求項１３】
通気路は、内層の外周面と中間層の内周面との間の全面及び中間層の外周面と外層の内周面との間の全面にわった内層と中間層と外層との円環状の下面から円環状の上面に通じて当該内層と中間層と外層との円環状の下面及び円環状の上面で開口する多数の不規則な通路からなる請求項８又は９のいずれか一項に記載の植木鉢。
【請求項１４】
高台の通風口は、円周方向に沿って形成された平面視方形状の孔からなる請求項１から１３のいずれか一項に記載の植木鉢。
【請求項１５】
高台の通風口は、円周方向に沿って形成された平面視円形状の孔からなる請求項１から１３のいずれか一項に記載の植木鉢。
【請求項１６】
高台の通風口は、少なくとも円周方向に沿って形成された内層及び外層の円環状の下面側から円環状の上面側に向けて形成された切り欠き凹部からなる請求項１から１３のいずれか一項に記載の植木鉢。
【発明の詳細な説明】
【技術分野】
【０００１】
本発明は、高山や亜高山に産する好水性の高山植物等を温暖な低地で栽培するのに適した植木鉢に関する。
【背景技術】
【０００２】
高山植物は、高地で寒冷な自然条件が厳しい場所で植生されているため、比較的温暖な低地での栽培は非常に難しく、高山植物本来の樹形や花形等が得られない。低地の暑さを嫌う植物を栽培する場合、一番問題となるのは春の後半から初秋までの暑さ対策であり、植生させる栽培用の植木鉢内の鉢内温度を低温に維持できないことに起因する。
【先行技術文献】
【特許文献】
【０００３】
【特許文献１】実開昭６３−５３２３９号公報
【特許文献２】実開昭６１−５０５６３号公報
【特許文献３】特開平６−１０５６２４号公報
【発明の概要】
【発明が解決しようとする課題】
【０００４】
そのような高山植物等を栽培する場合、現在、使用可能な植木鉢としては、断熱鉢、もみ殻鉢及び水冷鉢がある。断熱鉢及びもみ殻鉢は、肉厚の断熱性、通気性、透水性の高い鉢で、給水時の鉢からの気化熱を利用することで鉢内の温度上昇を防ぎ、外部の熱を断熱する効果を有する。また、水冷鉢は、断熱鉢の底部に貯水槽をもたせることで、水冷効果を断熱鉢よりも積極的に利用すると共に、その水冷効果を持続するようにしたものである。
【０００５】
断熱鉢及びもみ殻鉢は、断熱効果は認められるものの十分ではなく、水冷鉢は、水冷効果に持続性は認められるものの、貯水槽が鉢の底部の培養土よりも下方の位置にあるため、その有効性、効率性に問題がある。
【０００６】
その他に使用可能な鉢としては、例えば特許文献１、特許文献２及び特許文献３に記載された二重壁の植木鉢がある。特許文献１に記載された植木鉢は、鉢の内側に所要の間隔をあけて透水性の内壁を設けて二重壁とした植木鉢であり、その二重壁の間に水苔やスポンジ等の保水性の充填物を装填し、当該充填物に水を含ませることにより、充填物から蒸発する気化熱を利用して鉢内の温度上昇を抑え、また充填物から内壁内に浸透する水を利用して渇水から守ろうとするものである。
【０００７】
この特許文献１に記載された二重壁の植木鉢で高山植物等を栽培する場合、一番問題となる株元や根元の腐敗、所謂根腐れであるが、この植木鉢では腐敗から免れることは難しく、また鉢内の温度管理については、充填物から蒸発する気化熱利用の温度低下だけでは不十分であり、とくに夏季においての栽培は難しい。
【０００８】
特許文献２に記載された植木鉢は、二重植木鉢の内鉢体を通水性のものとし、二重植木鉢の下部において内鉢体と外鉢体の隙間を広く取り、その隙間に水を蓄えて通水性の内鉢体を通じて内鉢体内の土に水を供給するものであり、特許文献３に記載された植木鉢は、外鉢体と内鉢体の間に隙間を設けた二重植木鉢であり、この二重植木鉢の該隙間に吸水物質を備え、保水皿の水を吸い上げて、内鉢体側面の給水口から水を供給するものである。
【０００９】
上記の二重植木鉢は、内鉢体の側面からも水が供給されるため、内鉢体内の土全体の保水量が上がってしまい、植物の根木腐れを起こし易い虞がある。
【００１０】
本発明は、上記実情に鑑みなされたもので、その目的とするところは、春の後半から初秋、とくに夏季の暑さに対しても栽培用の植木鉢内の鉢内温度を低温に維持でき、高山植物等の温暖な低地での栽培を可能とする植木鉢を提供することにある。
【課題を解決するための手段】
【００１１】
円状の開口部を有する内層と外層との少なくとも二層構造からなる素焼きの本発明の植木鉢は、内層の外周面と外層の内周面との間に、該内層と外層との円環状の下面から上面に通じて当該円環状の下面及び上面で開口する複数個の通気路を、内層の内周面の下方に、中央部に円環状の孔を規定する径方向内方に突出した環状底部を、該環状底部と内層及び外層の円環状の下面との間の高台に、外層の外周面側から内層の円環状の孔に連通する複数個の通風口を夫々備えている。
【００１２】
本発明の植木鉢によれば、素焼きからなる多孔質の内層は、透水性を有しており、鉢の内部の用土に灌水された水が内層に浸みだし、浸みだした水の蒸発による気化熱が内層の外周面と外層の内周面との間に形成された複数個の通気路を通って効率よく放熱されて鉢の内部から気化熱が奪われるので、鉢の内部の温度を気温よりも低く保つことができる。また、内層の内周面に形成された環状底部により、中央部の貫通孔を大きく採ることができ、当該貫通孔に連通する高台に形成された複数個の通風口から空気が通気されるので、株元や根元の腐敗を生じる虞がない。
【００１３】
本発明の植木鉢において、植木鉢は、円状の開口部を有する内層と外層との二層構造であってもよく、また、円状の開口部を有する内層と中間層と外層との三層構造であってもよい。
【００１４】
本発明の植木鉢において、通気路は、二層構造の植木鉢では、円状の開口部を有する内層の外周面と外層の内周面との間に、内層と外層との円環状の下面から円環状の上面に直線状に通じて当該円環状の下面及び円環状の上面で開口する円周方向に沿って規則正しく形成された通路からなっていてもよい。
【００１５】
この内層の外周面と外層の内周面との間に形成された通気路としての通路は、植木鉢の内部の用土に灌水された水が多孔質の内層の浸みだし、浸みだした水の蒸発による気化熱を外部に効率よく放熱させる通路の役割を果たすものである。
【００１６】
本発明の植木鉢において、通気路は、内層の外周面と外層の内周面との間の全面において、内層と外層との円環状の下面から円環状の上面に直線状に通じて該内層と外層の円環状の下面及び上面に開口すると共に円周方向に沿って規則正しく配列された多数の通路と、内層の外周面と外層の内周面との間の全面において、該通路に連通して円周方向に環状に伸びていると共に円周方向に対して交差する長手方向に沿って規則正しく配列された多数の通路とからなる、所謂格子状の通路からなり、当該格子状の通路によって画定された平面視方形状の多数の独立した面又は平面視円形状の多数の独立した面あるいは平面視不定形状の多数の面が内層の外周面又は外層の内周面との接合面となる。
【００１７】
さらに、通気路は、内層の外周面と外層の内周面との間の全面にわたって内層と外層との円環状の下面から円環状の上面に通じる多数の不規則な通路からなっていてもよく、この場合、該通路に囲まれた平面視円形状の多数の独立した面が内層の外周面又は外層の内周面との接合面となる。
【００１８】
上記した円周方向に通じる多数の通路は、内層から浸みだした水を滞留させる役割を果たし、内層と外層との円環状の下面から円環状の上面に通じる通路と連通することにより、水の蒸発による気化熱の放熱をより効果的に行わせることができる。
【００１９】
また、三層構造の植木鉢における通気路は、円状の開口部を有する内層の外周面と中間層の内周面との間及び中間層の外周面と外層の内周面との間に、内層と中間層と外層との円環状の下面から円環状の上面に直線状に通じて当該円環状の下面及び円環状の上面で開口する円周方向に沿って規則正しく形成された通路、又は内層と中間層と外層との円環状の下面から円環状の上面に直線状に通じて当該円環状の下面及び円環状の上面で開口する円周方向に沿って規則正しく形成された通路と該通路に連通して内層の外周面と外層の内周面との間及び中間層の外周面と外層の内周面との間の長手方向に沿って規則正しく配列された多数の通路とからなる格子状の通路、あるいは内層と中間層と外層との円環状の下面から円環状の上面に通じる多数の不規則な通路からなっていてもよい。
【００２０】
本発明の植木鉢において、内層の内周面の下方に一体的に形成される環状底部は、中央部に円環状の貫通孔を規定する径方向内方に突出した帯状の環状突出部から形成されていても、また、内層の内周面の下方に、中央部に円環状の貫通孔を規定する径方向内方に突出した環状底部としての環状肩部を介して内層の円環状の下面に伸びる円筒状突出部から形成されていてもよく、このように形成された環状底面により中央部に直径の大きい円環状の貫通孔を形成することができる。
【００２１】
本発明の植木鉢において、環状底部から内層及び外層の円環状の下面に伸びる円筒状部、あるいは環状底部から内層と中間層及び外層の円環状の下面に伸びる円筒状部、所謂高台に形成された複数個の通風口は、内層の内周面側に空気を送風する役割を果たすものであり、内層の環状底部の貫通孔側に空気を通風して鉢内温度を下げ、株元や根元の腐敗を防止することができる。
【００２２】
この通風口としての狭間は、高台の円周方向に沿って形成された平面視方形状の貫通孔又は、平面視円形状の貫通孔であってもよく、また、内層及び外層の円環状の下面、あるいは内層、中間層及び外層の円環状の下面から円環状の上面に向けて切りかかれた切り欠き凹溝であってもよい。
【００２３】
本発明の植木鉢において、円状の開口部を有する内層及び外層の内周面及び外周面、あるいは円状の開口部を有する内層と中間層及び外層の内周面及び外周面は、それぞれ円筒面に形成されていても、截頭円錐面に形成されていてもよい。
【発明の効果】
【００２４】
本発明によれば、春の後半から初秋、とくに夏期の暑さに対しても栽培用の植木鉢内の鉢内温度を低温に維持でき、高山植物等の温暖な低地での栽培を可能とする素焼きの植木鉢を提供することができる。
【図面の簡単な説明】
【００２５】
【図１】図１は、本発明の実施の形態の植木鉢の正面説明図である。
【図２】図２は、図１の平面説明図である。
【図３】図３は、図２のＩ−Ｉ線矢視断面説明図である。
【図４】図４は、図１のＩＩ−ＩＩ線矢視断面説明図である。
【図５】図５は、図２における外層の展開平面説明図である。
【図６】図６は、図５のＩＩＩ−ＩＩＩ線矢視断面説明図である。
【図７】図７は、図２における内層の展開平面説明図である。
【図８】図８は、図７のＩＶ−ＩＶ線矢視断面説明図である。
【図９】図９は、図７の右側面説明図である。
【図１０】図１０は、内層と外層とを円筒状に捲回した状態の平面説明図である。
【図１１】図１１は、本発明の他の実施の形態の植木鉢の平面説明図である。
【図１２】図１２は、図１１のＶ−Ｖ線矢視断面説明図である。
【図１３】図１３は、本発明の他の実施の形態の植木鉢の断面説明図である。
【図１４】図１４は、本発明の他の実施の形態の植木鉢の正面説明図である。
【図１５】図１５は、図１４の平面説明図である。
【図１６】図１６は、図１５のＶＩ−ＶＩ線矢視断面説明図である。
【図１７】図１７は、図１６のＶＩＩ−ＶＩＩ線矢視断面説明図である。
【図１８】図１８は、図１５における内層の展開平面説明図である。
【図１９】図１９は、図１８の背面説明図である。
【図２０】図２０は、図１８の右側面説明図である。
【図２１】図２１は、図２における外層の他の実施の形態の展開平面説明図である。
【図２２】図２２は、図２１のＶＩＩＩ−ＶＩＩＩ線矢視断面説明図である。
【図２３】図２３は、図２１のＩＸ−ＩＸ線矢視断面説明図である。
【図２４】図２４は、図２における外層の他の実施の形態の展開平面説明図である。
【図２５】図２５は、図２４のＸ−Ｘ線矢視断面説明図である。
【図２６】図２６は、図２における外層の他の実施の形態の展開平面説明図である。
【図２７】図２７は、図２における外層の他の実施の形態の展開平面説明図である。
【図２８】図２８は、図２７のＸＩ−ＸＩ線矢視断面説明図である。
【図２９】図２９は、試験結果の説明図である。
【図３０】図３０は、試験結果の説明図である。
【図３１】図３１は、試験結果の説明図である。
【発明を実施するための形態】
【００２６】
次に、本発明及びその実施の形態を、図に示す好ましい実施例に基づいて更に詳細に説明する。なお、本発明はこれらの実施例に何等限定されないのである。
【００２７】
図１から図４において、本例の植木鉢１は、円状の開口部２及び円筒状の内周面３を有する円筒状の内層４と、内層４の円筒状の外周面５に円筒状の内周面６において外周面５を囲繞して一体的に接合されていると共に円筒状の外周面７を有する外層８と、内層４の円筒状の外周面５と外層８の円筒状の内周面６との間に配されていると共に、内層４及び外層８の円環状の下面１０及び１１から内層４及び外層８の円環状の上面１２及び１３に通じて当該内層４及び外層８の円環状の下面１０及び１１ならびに内層４及び外層８の円環状の上面１２及び１３でそれぞれ開口する多数の通気路１４と、内層４の円筒状の内周面３の下方に設けられていると共に、中央部の円環状の貫通孔１５を規定する径方向内方に突出した円環状凸条部１６からなる環状底部１７と、環状底部１７と内層４及び外層８の円環状の下面１０及び１１との間の円筒面１８からなる高台１９に設けられていると共に、円周方向に沿って外層８の外周面７側から内層４の内周面３側に開口する複数個の平面視方形状の通風口（通気口）２０とを備えている。
【００２８】
通気路１４は、図２から図４に示すように、平面視方形状をなしていると共に、内層４及び外層８の円環状の下面１０及び１１から内層４及び外層８の円環状の上面１２及び１３に直線状に通じて内層４及び外層８の円環状の下面１０及び１１並びに円環状の上面１２及び１３にそれぞれ開口する円周方向に沿って規則正しく形成された通路からなっている。なお、本例では、平面視方形状をなす通気路１４を示したが、通気路１４は、平面視半円形状をなす通気路であってもよい。
【００２９】
上記構成からなる植木鉢１の製造方法の一例について説明する。図５及び図６は、円筒状の外層８を展開して形成される平面視方形状の粘土材からなる外層材２１を示し、外層材２１は、一方の面２２の一方の端部２３に一方の面２２に対して幅方向Ｙに段部２４を介して長手方向Ｘに伸びる薄肉の係合部２５と、一方の面２２に幅方向Ｙに規則正しい間隔を隔てて長手方向Ｘの端面２６及び２７で開口すると共に一方の面２２で開口して形成された直線状の平面視方形状の凹溝２８と、一方の面２２に形成された係合部２５と幅方向Ｙにおいて反対側の端部３０に他方の面２９に対して幅方向Ｙに段部３１を介して長手方向Ｘに伸びる薄肉の係合部３２と、長手方向Ｘの一方の端部３３に幅方向Ｙに沿って規則正しい間隔を隔てて形成された平面視方形状の貫通孔３４とを備えている。なお、図５及び図６に示す例において、外層材２１の一方の面２２に形成された平面視方形状の凹溝２８に代えて平面視半円形状の凹溝であってもよい。
【００３０】
図７から図９に示す円筒状の内層４を展開して形成される平面視方形状の粘土材からなる内層材３５は、一方の面３６の一方の端部３７に一方の面３６に対して幅方向Ｙに段部３８を介して長手方向Ｘに伸びる薄肉の係合部３９と、一方の面３６に形成された係合部３９と幅方向Ｙにおいて反対側の一方の端部４１に他方の面４０に対して幅方向Ｙに段部４２を介して長手方向Ｘに伸びる薄肉の係合部４３と、一方の面３６の長手方向Ｘの一方の端部４４に幅方向Ｙに沿って形成された平面視方形状の帯状突出部４５と、帯状突出部４５と長手方向Ｘの一方の端面４６との間の端部４１に幅方向Ｙに沿って規則正しい間隔を隔てて形成された平面視方形状の貫通孔４８を備えている。
【００３１】
内層材３５は、図１０に示すように、一方の面３６を内側にして円筒状に捲回され、一方の端部３７に形成された薄肉の係合部３９を他方の面４０に形成された薄肉の係合部４３に係合させると共に薄肉の係合部３９の端面４９を薄肉の係合部４３の段部４２に当接させ、一方の端部４１に形成された薄肉の係合部４３を一方の面３６に形成された薄肉の係合部３９に係合させると共に薄肉の係合部４３の端面５０を薄肉の係合部３９の段部３８に当接させ、帯状突出部４５の端面５１及び５１を当接させて円筒状の内層材３５ａに形成される。
【００３２】
円筒状の内層材３５ａの外周面５２に、図１０に示すように、外層材２１を外層材２１の一方の面２２を内側にして円筒状に捲回し、一方の面２２の一方の端部２３に形成された薄肉の係合部２５を他方の面２９の一方の面２２に形成された薄肉の係合部２５と反対側の端部３０に形成された薄肉の係合部３２に係合させると共に薄肉の係合部２５の端面５３を薄肉の係合部３２の段部３１に当接させ、他方の面２９の一方の面２２に形成された係合部２５と反対側の端部３０に形成された薄肉の係合部３２を一方の面２２に形成された薄肉の係合部２５に係合させると共に薄肉の係合部３２の端面５４を薄肉の係合部２５の段部２４に当接させ、一方の面２２に形成された複数個の凹溝２８を除く一方の面２２ａを内層材３５の外周面５２との接合面５５として当接させ、円筒状の外層材２１ａに形成して内層材３５と外層材２１とが円筒状に組み合わされる。
【００３３】
内層材３５と外層材２１とが円筒状に組み合わされることにより、円筒状の外層材２１ａの一方の面２２に形成された複数個の凹溝２８の開口部は、内層材３５の外周面５２に閉塞され、凹溝２８は、内層材３５ａの外周面５２と外層材２１ａの内周面５６との間に、内層材３５ａ及び外層材２１ａの円環状の下面５７及び５８から内層材３５ａ及び外層材２１ａの円環状の上面５９及び６０を通じて円環状の下面５７及び５８ならびに円環状の上面５９及び６０にそれぞれ開口する直線状の複数個の通気路６１が形成される。
【００３４】
粘土材からなる円筒状に組み合わされた内層材３５ａと外層材２１ａとは、焼成炉又は窯において７００〜８００℃の温度で１０時間程度焼き固められことにより、図１から図４に示すように、内層４と外層８とからなり、内層４の外周面５と外層８の内周面６との間に配されていると共に、内層４及び外層８の円環状の下面１０及び１１から内層４及び外層８の円環状の上面１２及び１３に通じて内層４及び外層８の円環状の下面１０及び１１ならびに内層４及び外層８の円環状の上面１２及び１３でそれぞれ開口する多数の通気路１４と、内層４の内周面３に一体的に形成された中央部の円環状の貫通孔１５を規定する環状底部１７と、環状底部１７と内層４及び外層８の円環状の下面１０及び１１との間の円筒面１８からなる高台１９に設けられていると共に、円周方向に沿って外層８の外周面７側から内層４の内周面３側に開口する複数個の通風口２０とを備えた二重構造の素焼きの植木鉢１が形成される。
【００３５】
本例の植木鉢１においては、環状底部１７と内層４及び外層８の円環状の下面１０及び１１との間の円筒面１８からなる高台１９に形成された複数個の通風口２０を、内層材３５及び外層材２１に予め規則正しい間隔を隔てて形成された平面視方形状の貫通孔３４及び４８によって形成したが、内層材３５及び外層材２１に予め貫通孔３４及び４８を形成することなく内層４及び外層８の二重構造の素焼きの植木鉢１を形成したのち、高台１９に、例えばノコギリ等の手動利器で後加工によって形成してもよい。
【００３６】
図１１及び図１２に示す本発明の他の実施の形態の植木鉢１は、円状の開口部２を備えた円筒状の内周面３を有する円筒状の内層４と、内層４の円筒状の外周面５に円筒状の内周面６２において外周面５を囲繞して一体的に接合された円筒状の中間層６３と、中間層６３の外周面６２に円筒状の内周面６において中間層６３を囲繞して一体的に接合された外層８との三層構造からなり、内層４の外周面５と中間層６３の内周面６２との間及び中間層６３の外周面６４と外層８の内周面６との間に配されていると共に、内層４、中間層６３及び外層８の円環状の下面１０、６５及び１１から内層４、中間層６３及び外層８の円環状の上面１２、６６及び１３に通じて内層４、中間層６３及び外層８の円環状の下面１０、６５及び１１ならびに内層４、中間層６３及び外層８の円環状の上面１２、６６及び１３にそれぞれ開口する多数の通気路１４と、内層４の円筒状の内周面３の下方に設けられていると共に、中央部の円環状の貫通孔１５を規定する径方向内方に突出した円環状凸条部１６からなる環状底部１７と、環状底部１７と内層４、中間層６３及び外層８の円環状の下面１０、６５及び１１との間の円筒面１８からなる高台１９に設けられていると共に、円周方向に沿って外層８の外周面７側から内層４の内周面３側に開口する複数個の通風口２０とを備えている。
【００３７】
三層構造からなる植木鉢１では、内層４の外周面５と中間層６３の内周面６２との間及び中間層６３の外周面６４と外層８の内周面６との間に、内層４、中間層６３及び外層８の円環状の下面１０、６５及び１１から内層４、中間層６３及び外層８の円環状の上面１２、６６及び１３に通じて内層４、中間層６１及び外層８の円環状の下面１０、６５及び１１ならびに内層４、中間層６３及び外層８の円環状の上面１２、６６及び１３でそれぞれ開口する多数の通気路１４が形成されているので、植木鉢１内の用土に灌水された水が内層４から中間層６３に浸みだし、浸み出した水の蒸発による気化熱が内層４の外周面５と中間層６３の内周面６２との間及び中間層６３の外周面６４と外層８の内周面６との間に形成された通気路１４を通ってより効果的に放熱されるので、植木鉢１内の温度を気温より低く保つことができる。
【００３８】
図１３に示す本発明の更に他の実施の形態の植木鉢１は、円状の開口部２を備えた截頭円錐状の内周面３ａを有する截頭円錐状の内層４ａと、内層４ａの截頭円錐状の外周面５ａに、截頭円錐状の内周面６ａにおいて外周面５ａを囲繞して一体的に接合された截頭円錐状の外周面７ａを有する外層８ａと、内層４ａの截頭円錐状の外周面５ａと外層８ａの截頭円錐状の内周面６ａとの間に配されていると共に、内層４ａ及び外層８ａの円環状の下面１０ａ及び１１ａから内層４ａ及び外層８ａの円環状の上面１２ａ及び１３ａに通じて内層４ａ及び外層８ａの円環状の下面１０ａ及び１１ａ並びに円環状の上面１２ａ及び１３ａでそれぞれ開口する複数個の通気路１４ａと、内層４ａの截頭円錐状の内周面３ａの下方に設けられていると共に、中央部の円環状の貫通孔１５ａを規定する径方向内方に突出した円環状凸条部１６ａからなる環状底部１７ａと、環状底部１７ａと内層４ａ及び外層８ａの円環状の下面１０ａ及び１１ａとの間の截頭円錐面１８ａからなる高台１９ａに設けられていると共に、円周方向に沿って外層８ａの截頭円錐状の外周面７ａ側から内層４ａの截頭円錐状の内周面３ａ側に開口する複数個の通風口２０ａとを備えている。
【００３９】
内層４ａ及び外層８ａの円環状の下面１０ａ及び１１ａから内層４ａ及び外層８ａの円環状の上面１２ａ及び１３ａに通じて円環状の下面１０ａ及び１１ａ並びに円環状の上面１２ａ及び１３ａで夫々開口する複数個の通気路１４ａは、内層４ａの截頭円錐状の外周面５ａと外層８ａの截頭円錐状の内周面６ａとの間に、それぞれの截頭円錐面に沿って直線状に形成されている。
【００４０】
図１３に示す植木鉢１は、截頭円錐状の内周面３ａ及び外周面５ａを有する内層４ａと内層４ａの截頭円錐状の外周面５ａに一体的に接合された截頭円錐状の内周面６ａ及び外周面７ａを有する外層８ａとの二層構造からなるものであるが、図１１及び図１２に示すような截頭円錐状の内周面３ａ及び外周面５ａを有する内層４ａと截頭円錐状の内周面及び外周面を有する中間層と截頭円錐状の内周面６ａ及び外周面７ａを有する外層８ａとの三層構造からなる植木鉢１（図示せず）であってもよい。
【００４１】
図１４から図１７に示す本発明の更に他の実施の形態の植木鉢１は、円状の開口部２を備えた円筒状の内周面３、内周面３に対して円環状肩部６７を介して径方向内方に狭窄して中央部に円環状の貫通孔１５を規定する円筒突出部６８及び円筒状の外周面５を備えた内層４と、内層４の円筒状の外周面５に、円筒状の内周面６において外周面５を囲繞して一体的に接合された円筒状の外周面７を有する外層８と、、内層４の外周面５と外層８の内周面６との間に配されていると共に、内層４及び外層８の円環状の下面１０及び１１から内層４及び外層８の円環状の上面１２及び１３に通じて円環状の下面１０及び１１並びに円環状の上面１２及び１３でそれぞれ開口する複数個の通気路１４と、円環状肩部６７と内層４及び円筒突出部６８の円環状の下面１０及び６９ならびに外層８の円環状の下面１１との間の円筒面１８からなる高台１９に設けられていると共に、内層４及び円筒突出部６８の円環状の下面１０及び６９ならびに外層８の円環状の下面１１から内層４及び外層８の円環状の上面１２及び１３に向けて形成された切り欠き凹部７０からなる複数個の通風口７１とを備えており、内層４の内周面３に対して径方向内方に狭窄した円筒突出部６８の一方の端面である円環状肩部６７が環状底部１７を形成する。
【００４２】
図１４から図１７に示す植木鉢１において、切り欠き凹部７０からなる複数個の通風口７１は、通気口２０と同様、内層４の内周面３の環状底部１７の円環状の貫通孔１５に空気を通風して鉢内温度を下げる役割を果たすものであるが、通風口７１としての切り欠き凹部７０に代えて、平面視方形状あるいは平面視円形状の通風口２０であってもよい。
【００４３】
植木鉢１における円筒状の内層４を展開して形成される平面視方形状の粘土材からなる図１８から図２０に示す内層材３５は、一方の面３６の一方の端部３７に一方の面３６に対して幅方向Ｙに段部３８を介して長手方向Ｘに伸びる薄肉の係合部３９と、一方の面３６に形成された係合部３９と幅方向Ｙに関して反対側の一方の端部４１に設けられていると共に他方の面４０に対して幅方向Ｙに段部４２を介して長手方向Ｘに伸びる薄肉の係合部４３と、一方の面３６の長手方向Ｘの一方の端部４４に幅方向Ｙに沿って形成された平面視方形状の厚肉突出部７２と、厚肉突出部７２の内層材３５の長手方向Ｘの一方の端面４６側から内層材３５の長手方向Ｘの他方の端面側に向けて切り欠かれた幅方向Ｙに沿って規則正しい間隔を隔てて平面視方形状の複数個の切り欠き凹部７３とを備えている。
【００４４】
内層材３５は、図１０に示すように、一方の面３６を内側にして円筒状に捲回され、一方の端部３７に形成された薄肉の係合部３９を他方の面４０に形成された薄肉の係合部４３に係合させると共に薄肉の係合部３９の端面４９を薄肉の係合部４３の段部４２に当接させ、一方の端部４１に形成された薄肉の係合部４３を一方の面３６に形成された薄肉の係合部３９に係合させると共に薄肉の係合部４３の端面５０を薄肉の係合部３９の段部３８に当接させ、厚肉突出部７２の端面７４及び７４を当接させて円筒状の内層材３５ａに形成される。
【００４５】
円筒状の内層材３５ａの外周面５２に、図１０に示すように、外層材２１を外層材２１の一方の面２２を内側にして円筒状に捲回し、一方の面２２に形成された複数個の凹溝２８を除く一方の面２２ａを内層材３５の外周面５２との接合面５５として当接させ、円筒状の外層材２１ａに形成して内層材３５と外層材２１とが円筒状に組み合わされる。
【００４６】
図２１から図２８は、内層４の円筒状の外周面５と外層８の円筒状の内周面６との間に形成された複数個の通気路１４、あるいは内層４の外周面５と中間層６３の内周面６２との間及び中間層６３の外周面６４と外層８の内周面６との間に形成された複数個の通気路１４の他の実施の形態において、円筒状の外層８又は中間層６３を展開して形成される平面視方形状の粘土材からなる外層材２１又は中間層材（図示せず）を示す。
【００４７】
図２１から図２３に示す外層材２１は、一方の面２２の一方の端部２３に一方の面２２に対して幅方向Ｙに段部２４を介して長手方向Ｘに伸びる薄肉の係合部２５と、一方の面２２の全面に幅方向Ｙに規則正しい間隔を隔てて長手方向Ｘの端面２６及び２７に開口すると共に一方の面２２に開口して形成された直線状の平面視方形状の凹溝２８ａと、凹溝２８ａと交差して長手方向Ｘに規則正しい間隔を隔てて幅方向Ｙの一方の端面７５及び段部２４で開口して形成された直線状の平面視方形状の凹溝２８ｂと、一方の面２２に凹溝２８ａと凹溝２８ａと交差する凹溝２８ｂとで区画された多数の面２２ａと、一方の面２２に形成された係合部２５と幅方向Ｙに関して反対側の端部３０に設けられていると共に他方の面９に対して幅方向Ｙに段部３１を介して長手方向Ｘに伸びる薄肉の係合部３２と、長手方向Ｘの一方の端部３３に幅方向Ｙに沿って規則正しい間隔を隔てて形成された平面視方形状の貫通孔３４とを備えている。
【００４８】
図２１から図２３に示す外層材２１は、図１０に示すように、円筒状の内層材３５ａの外周面５２に、一方の面２２を内側にして円筒状に捲回し、一方の面２２の一方の端部２３に形成された薄肉の係合部２５を他方の面２９の一方の面２２に形成された薄肉の係合部２５と反対側の端部３０に形成された薄肉の係合部３２に係合させると共に薄肉の係合部２５の端面５３を薄肉の係合部３２の段部３１に当接させ、他方の面２９の一方の面２２に形成された係合部２５と反対側の端部３０に形成された薄肉の係合部３２を一方の面２２に形成された薄肉の係合部２５に係合させると共に薄肉の係合部３２の端面５４を薄肉の係合部２５の段部２４に当接させ、一方の面２２に複数個の凹溝２８ａと凹溝２８ｂとで区画された多数の面２２ａを内層材３５の外周面５２との接合面５５として当接させ、円筒状の外層材２１ａに形成して、これにより、内層材３５と外層材２１とが円筒状に組み合わされる。
【００４９】
内層材３５と外層材２１とが円筒状に組み合わされることにより、円筒状の外層材２１ａの一方の面２２に規則正しく点在した多数の平面視円形状の面２２ａが内層材３５の外周面５２に当接して内層材３５ａの外周面５２と外層材２１ａの内周面５４との間に、内層材３５ａ及び外層材２１ａの円環状の下面５７及び５８から内層材３５ａ及び外層材２１ａの円環状の上面５９及び６０を通じて円環状の下面５７及び５８ならびに円環状の上面５９及び６０に開口すると共に円周方向に通じる多数の通気路１４が形成される。
【００５０】
粘土材からなる円筒状に組み合わされた内層材３５ａと外層材２１ａとは、焼成炉又は窯において７００〜８００℃の温度で１０時間程度焼き固められことにより、内層４と外層８とからなり、内層４の外周面５と外層８の内周面６との間に配されていると共に、内層４及び外層８の円環状の下面１０及び１１から内層４及び外層８の円環状の上面１２及び１３に通じて内層４及び外層８の円環状の下面１０及び１１ならびに内層４及び外層８の円環状の上面１２及び１３でそれぞれ開口する多数の通気路１４と、通気路１４に交差して円周方向に通じる多数の通気路１４と、内層４の内周面３に一体的に形成された中央部の円環状の貫通孔１５を規定する環状底部１７と、環状底部１７と内層４及び外層８の円環状の下面１０及び１１との間の円筒面１８からなる高台１９に円周方向に沿って設けられていると共に、外層８の外周面７側から内層４の内周面３側に開口する複数個の通風口２０とを備えた二重構造の素焼きの植木鉢１が形成される。
【００５１】
図２４及び図２５に示す外層材２１は、一方の面２２の一方の端部２３に一方の面２２に対して幅方向Ｙに段部２４を介して長手方向Ｘに伸びる薄肉の係合部２５と、一方の面２２の全面にわたって互に連続した多数の凹部７５と、凹部７５に区画されて幅方向Ｙ及び長手方向Ｘに規則正しく点在した多数の平面視円形状の面２２ａと、一方の面２２に形成された係合部２５と幅方向Ｙに関して反対側の端部３０に他方の面２９に対して幅方向Ｙに段部３１を介して長手方向Ｘに伸びる薄肉の係合部３２と、長手方向Ｘの一方の端部３３に幅方向Ｙに沿って規則正しい間隔を隔てて形成された平面視方形状の貫通孔３４とを備えている。
【００５２】
図２４及び図２５に示す外層材２１は、図１０に示すように、円筒状の内層材３５ａの外周面５２に、一方の面２２を内側にして円筒状に捲回し、一方の面２２の一方の端部２３に形成された薄肉の係合部２５を他方の面２９の一方の面２２に形成された薄肉の係合部２５と反対側の端部３０に形成された薄肉の係合部３２に係合させると共に薄肉の係合部２５の端面５０を薄肉の係合部３２の段部２４に当接させ、他方の面２９の一方の面２２に形成された係合部２５と反対側の端部３０に形成された薄肉の係合部３２を一方の面２２に形成された薄肉の係合部２５に係合させると共に薄肉の係合部３２の端面５１を薄肉の係合部２５の段部２４に当接させ、一方の面２２に規則正しく点在した多数の平面視円形状の面２２ａを内層材３５の外周面５２との接合面５５として当接させ、円筒状の外層材２１ａに形成し、これにより、内層材３５と外層材２１とが円筒状に組み合わされる。
【００５３】
内層材３５と外層材２１が円筒状に組み合わされることにより、円筒状の外層材２１ａの一方の面２２に規則正しく点在した多数の平面視円形状の面２２ａが内層材３５の外周面５２に当接して内層材３５ａの外周面５２と外層材２１ａの内周面との間に、内層材３５ａ及び外層材２１ａの円環状の下面５７及び５８から内層材３５ａ及び外層材２１ａの円環状の上面５９及び６０を通じて円環状の下面５７及び５８ならびに円環状の上面５９及び６０で開口すると共に円周方向に通じる多数の通気路１４が形成される。
【００５４】
粘土材からなる円筒状に組み合わされた内層材３５ａと外層材２１ａとは、焼成炉又は窯において７００〜８００℃の温度で１０時間程度焼き固められことにより、内層４と外層８とからなり、内層４の外周面５と外層８の内周面６との間に配されていると共に、内層４及び外層８の円環状の下面１０及び１１から内層４及び外層８の円環状の上面１２及び１３に通じて内層４及び外層８の円環状の下面１０及び１１ならびに内層４及び外層８の円環状の上面１２及び１３でそれぞれ開口すると共に円周方向に通じる多数の通気路１４と、内層４の内周面３に一体的に形成された中央部の円環状の貫通孔１５を規定する環状底部１７と、環状底部１７と内層４及び外層８の円環状の下面１０及び１１との間の円筒面１８からなる高台１９に設けられていると共に、円周方向に沿って外層８の外周面７側から内層４の内周面３側に開口する複数個の通風口２０とを備えた二重構造の素焼きの植木鉢１が形成される。
【００５５】
図２６に示す外層材２１は、一方の面２２の一方の端部２３に一方の面２２に対して幅方向Ｙに段部２４を介して長手方向Ｘに伸びる薄肉の係合部２５と、一方の面２２の全面にわたって互に連続した多数の凹部７５と、凹部７５に区画されて幅方向Ｙ及び長手方向Ｘに無定形状に点在した多数の面２２ａと、一方の面２２に形成された係合部２５と幅方向Ｙに関して反対側の端部３０に他方の面２９に対して幅方向Ｙに段部３１を介して長手方向Ｘに伸びる薄肉の係合部３２と、長手方向Ｘの一方の端部３３に幅方向Ｙに沿って規則正しい間隔を隔てて形成された平面視方形状の貫通孔３４とを備えている。
【００５６】
図２６に示す外層材２１は、図１０に示すように、円筒状の内層材３５ａの外周面５２に、一方の面２２を内側にして円筒状に捲回し、一方の面２２の一方の端部２３に形成された薄肉の係合部２５を他方の面２９の一方の面２２に形成された薄肉の係合部２５と反対側の端部３０に形成された薄肉の係合部３２に係合させると共に薄肉の係合部２５の端面５０を薄肉の係合部３２の段部２４に当接させ、他方の面２９の一方の面２２に形成された係合部２５と反対側の端部３０に形成された薄肉の係合部３２を一方の面２２に形成された薄肉の係合部２５に係合させると共に薄肉の係合部３２の端面５１を薄肉の係合部２５の段部２４に当接させ、一方の面２２に無定形状に点在した多数の面２２ａを内層材３５の外周面５２との接合面５５として当接させ、円筒状の外層材２１ａに形成し、これにより、内層材３５と外層材２１とが円筒状に組み合わされる。
【００５７】
内層材３５と外層材２１が円筒状に組み合わされることにより、円筒状の外層材２１ａの一方の面２２に無定形状に点在した多数の突部面２２ａが内層材３５の外周面５２に当接して内層材３５ａの外周面５２と外層材２１ａの内周面との間に、内層材３５ａ及び外層材２１ａの円環状の下面５７及び５８から内層材３５ａ及び外層材２１ａの円環状の上面５９及び６０を通じて円環状の下面５７及び５８並びに円環状の上面５９及び６０に開口すると共に円周方向に通じる多数の通気路が形成される。
【００５８】
粘土材からなる円筒状に組み合わされた内層材３５ａと外層材２１ａとは、焼成炉又は窯において７００〜８００℃の温度で１０時間程度焼き固められことにより、内層４と外層８とからなり、内層４の外周面５と外層８の内周面６との間に配されていると共に、内層４及び外層８の円環状の下面１０及び１１から内層４及び外層８の円環状の上面１２及び１３に通じて内層４及び外層８の円環状の下面１０及び１１ならびに内層４及び外層８の円環状の上面１２及び１３でそれぞれ開口すると共に円周方向に通じる多数の通気路１４と、内層４の内周面３に一体的に形成された中央部の円環状の貫通孔１５を規定する環状底部１７と、環状底部１７と内層４及び外層８の円環状の下面１０及び１１との間の円筒面１８からなる高台１９に設けられていると共に、円周方向に沿って外層８の外周面７側から内層４の内周面３側に開口する複数個の通風口２０とを備えた二重構造の素焼きの植木鉢１が形成される。
【００５９】
図２７及び図２８に示す外層材２１は、一方の面２２の一方の端部２３に一方の面２２に対して幅方向Ｙに段部２４を介して長手方向Ｘに伸びる薄肉の係合部２５と、一方の面２２の全面にわたって互に連続した多数の凹部７５と、凹部７５に区画されて外層材２１の幅方向Ｙの一方の端面に対して斜方向に点在した平面視円形状の多数の面２２ａと、一方の面２２に形成された係合部２５と幅方向Ｙに関して反対側の端部３０に他方の面２９に対して幅方向Ｙに段部３１を介して長手方向Ｘに伸びる薄肉の係合部３２と、長手方向Ｘの一方の端部３３に幅方向Ｙに沿って規則正しい間隔を隔てて形成された平面視方形状の貫通孔３４とを備えている。
【００６０】
図２７及び図２８に示す外層材２１は、図１０に示すように、円筒状の内層材３５ａの外周面５２に、一方の面２２を内側にして円筒状に捲回し、一方の面２２の一方の端部２３に形成された薄肉の係合部２５を他方の面２９の一方の面２２に形成された薄肉の係合部２５と反対側の端部３０に形成された薄肉の係合部３２に係合させると共に薄肉の係合部２５の端面５０を該薄肉の係合部３２の段部２４に当接させ、他方の面２９の一方の面２２に形成された係合部２５と反対側の端部３０に形成された薄肉の係合部３２を一方の面２２に形成された薄肉の係合部２５に係合させると共に薄肉の係合部３２の端面５１を該薄肉の係合部２５の段部２４に当接させ、一方の面２２に斜方向に点在した平面視円形状の多数の面２２ａを内層材３５の外周面５２との接合面５５として当接させ、円筒状の外層材２１ａに形成し、これにより、内層材３５と外層材２１とが円筒状に組み合わされる。
【００６１】
内層材３５と外層材２１が円筒状に組み合わされることにより、円筒状の外層材２１ａの一方の面２２に斜方向に点在した平面視円形状の多数の面２２ａが内層材３５の外周面５２に当接して内層材３５ａの外周面５２と外層材２１ａの内周面５４との間に、内層材３５ａ及び外層材２１ａの円環状の下面５７及び５８から内層材３５ａ及び外層材２１ａの円環状の上面５９及び６０を通じて円環状の下面５７及び５８ならびに円環状の上面５９及び６０で開口すると共に円周方向に通じる多数の通気路１４が形成される。
【００６２】
粘土材からなる円筒状に組み合わされた内層材３５ａと外層材２１ａとは、焼成炉又は窯において７００〜８００℃の温度で１０時間程度焼き固められことにより、内層４と外層８とからなり、内層４の外周面５と外層８の内周面６との間に配されていると共に、内層４及び外層８の円環状の下面１０及び１１から内層４及び外層８の円環状の上面１２及び１３に通じて内層４及び外層８の円環状の下面１０及び１１ならびに内層４及び外層８の円環状の上面１２及び１３でそれぞれ開口すると共に円周方向に通じる多数の通気路と、内層４の内周面３に一体的に形成された中央部の円環状の貫通孔１５を規定する環状底部１７と、環状底部１７と内層４及び外層８の円環状の下面１０及び１１との間の円筒面１８からなる高台１９に設けられていると共に、円周方向に沿って外層８の外周面７側から内層４の内周面３側に開口する複数個の通風口２０とを備えた二重構造の素焼きの植木鉢１が形成される。
【００６３】
次に、本例の植木鉢と駄温鉢の鉢内温度変化について試験した結果について説明する。
【００６４】
試験条件
測定場所  神奈川県平塚市田村５丁目１６番２６号  発明者宅
日当たりのよいガーデン
測定期間  平成２５年８月３０日、３１日
測定器具  温度計  寒暖計
供試体    （１）本例Ａの植木鉢：内層の外周面と外層の内周面との間に円周方向に８個の通気路を備えた二層構造からなる植木鉢（図３及び図４参照）。
（２）本例Ｂの植木鉢：内層の外周面と中間層の内周面との間及び中間層の外周面と外層の内周面との間に円周方向に８個の通気路を備えた三層構造からなる植木鉢（図１１及び図１２参照）。
（３）駄温鉢（８号鉢）
【００６５】
【表１】
2015130822.tif 000003
【００６６】
測定方法    温度計を鉢の内側より１ｃｍ、鉢内の用土の表面から３ｃｍの深さに差し
込み、測定日の前日の１８時頃灌水を行った。そして、８時、１０時、   １２時、１４時、１５時、１６時、１７時の各時点の気温と鉢内温度を測 定した。
【００６７】
上記試験結果を図２９（８月３０日の記録）及び図３０（８月３１日の記録）に示す。
【００６８】
試験結果から、高温時の鉢内温度差は、駄温鉢よりも本例Ａ及び本例Ｂの植木鉢の方が小さいことが分かる。特に、１２時から１５時の気温の最も高い時間帯においても、本例Ａ及び本例Ｂの植木鉢では、気温との温度差が１０℃以上も低いというものであった。まら、本例Ｂの植木鉢は、本例Ａの植木鉢よりも鉢内の温度が低く、これは、内層の外周面と中間層の内周面との間及び中間層の外周面と外層の内周面との間にそれぞれ形成された通気路によるものと推察される。
【００６９】
上記試験結果から、本例Ａ及び本例Ｂの植木鉢について、さらに次の試験を行った。
【００７０】
試験条件
測定場所  前記と同場所
測定日    平成２５年９月３日
測定器具  温度計３本  寒暖計
供試体    前記と同じ
測定方法  温度計を３本使用し、鉢内の温度の測定部位を鉢内の用土の表面から３ｃｍ
（表面部位）と鉢内の用土の表面から５ｃｍ（中間部位）及び８.５ｃｍ（底面部位）の深さに差し込み、８時、１０時、１２時、１４時、１５時、１６時、１７時の各時点の鉢内温度を測定した。
【００７１】
その結果を図３１に示す。
【００７２】
試験結果から、本例Ａ及び本例Ｂの植木鉢では、鉢内の表面部位、中間部位及び底面部位のいずれの部位においても温度変化の差が小さく、鉢内の低い温度を長時間にわたって保つことができるが分かる。
【００７３】
以上説明したように、本発明の植木鉢は、少なくとも内層と外層の二層構造からなり、内層の外周面と外層の内周面との間に、内層及び外層の円環状の下面から内層及び外層の円環状の上面に通じて当該内層及び外層の円環状の下面ならびに内層４及び外層８の円環状の上面にそれぞれ開口する多数の通気路を備えているので、鉢内の用土に灌水された水が内層に浸みだし、浸みだした水の蒸発による気化熱が多数の通気路を通って効率よく放熱されて鉢の内部から気化熱が奪われ、当該鉢内の温度を気温よりも低く保つことができ
る。
【符号の説明】
【００７４】
１  植木鉢
４  内層
８  外層
１４  通気路
１６  円環状凸条部
１７  環状底部
１９  高台
２０  通気口
【図１】
2015130822.tif 000004
【図２】
2015130822.tif 000005
【図３】
2015130822.tif 000006
【図４】
2015130822.tif 000007
【図５】
2015130822.tif 000008
【図６】
2015130822.tif 000009
【図７】
2015130822.tif 000010
【図８】
2015130822.tif 000011
【図９】
2015130822.tif 000012
【図１０】
2015130822.tif 000013
【図１１】
2015130822.tif 000014
【図１２】
2015130822.tif 000015
【図１３】
2015130822.tif 000016
【図１４】
2015130822.tif 000017
【図１５】
2015130822.tif 000018
【図１６】
2015130822.tif 000019
【図１７】
2015130822.tif 000020
【図１８】
2015130822.tif 000021
【図１９】
2015130822.tif 000022
【図２０】
2015130822.tif 000023
【図２１】
2015130822.tif 000024
【図２２】
2015130822.tif 000025
【図２３】
2015130822.tif 000026
【図２４】
2015130822.tif 000027
【図２５】
2015130822.tif 000028
【図２６】
2015130822.tif 000029
【図２７】
2015130822.tif 000030
【図２８】
2015130822.tif 000031
【図２９】
2015130822.tif 000032
【図３０】
2015130822.tif 000033
【図３１】
2015130822.tif 000034